(57)【要約】  エッチング排ガスである装置入口排ガスおよび水を加熱する第１加熱器２２１と、装置入口排ガスおよび水をさらに加熱するとともに触媒により過弗化物を加水分解して酸性ガスを含む分解ガスを生成する第２加熱器２２２と、装置入口排ガスと分解ガスとの間で熱交換を行なう熱交換器２３１と、分解ガスから酸成分を乾式除去する酸成分除去装置２３２と、を備え、第１加熱器２２１、第２加熱器２２２、熱交換器２３１および酸成分除去装置２３２は、上方から見たときに矩形領域の内部であって矩形領域の何れかの辺部に沿って配され、装置入口排ガスおよび排気ガスは、矩形領域の一方の短辺側からそれぞれ導入および排出させ、第２加熱器２２２は矩形領域の他方の短辺側に配される過弗化物の処理装置２。
2014129050.tif 000002
【特許請求の範囲】
【請求項１】
過弗化物を含むガスおよび水を加熱する第１の加熱手段と、
前記第１の加熱手段により加熱された過弗化物を含むガスおよび水をさらに加熱するとともに、予め定められた触媒により過弗化物を加水分解して酸性ガスを含む分解ガスを生成する第２の加熱手段と、
前記第１の加熱手段の前段および前記第２の加熱手段の後段に配され、当該第１の加熱手段に流入する前の過弗化物を含むガスに水を混合させるとともに当該第２の加熱手段から流出した後の分解ガスとの間で熱交換を行なう熱交換手段と、
前記熱交換手段から流出した後の分解ガスから酸成分を乾式除去する酸成分除去手段と、
を備え、
前記第１の加熱手段、前記第２の加熱手段、前記熱交換手段および前記酸成分除去手段は、上方から見たときに矩形領域の内部であって当該矩形領域の何れかの辺部に沿って配され、
前記第１の加熱手段に流入する過弗化物を含むガスおよび酸成分除去手段から流出した後の排気ガスは、前記矩形領域の一方の短辺側からそれぞれ導入および排出させ、前記第２の加熱手段は当該矩形領域の他方の短辺側に配される
ことを特徴とする過弗化物の処理装置。
【請求項２】
前記第１の加熱手段は、前記矩形領域の他方の短辺側に前記第２の加熱手段と並んで配され、
前記熱交換手段および前記酸成分除去手段は、前記矩形領域の長辺側に沿って、前記排気ガスが流出する箇所に向かい順に配列することを特徴とする請求項１に記載の過弗化物の処理装置。
【請求項３】
過弗化物を含むガスから固形分および／またはミストを除去する前処理手段と、
前記酸成分除去手段により酸成分が乾式除去された後の排気ガスから固形分を除去する後処理手段と、
をさらに備え、
前記前処理手段は、前記熱交換手段および前記酸成分除去手段が配列する長辺とは異なる長辺側であって、過弗化物を含むガスが流入する箇所と前記第１の加熱手段との間に配され、
前記後処理手段は、前記熱交換手段および前記酸成分除去手段が配列する長辺側であって、当該酸成分除去手段と前記排気ガスが流出する箇所との間に配される
ことを特徴とする請求項２に記載の過弗化物の処理装置。
【請求項４】
前記酸成分除去手段の上方から酸成分を乾式除去するための薬剤を供給する薬剤供給手段と、当該酸成分除去手段の下方から当該薬剤を排出する薬剤排出手段とを更に備え、
前記酸成分除去手段に導入する分解ガスは、当該酸成分除去手段の下方から導入するとともに、当該酸成分除去手段の上方から排出することを特徴とする請求項１乃至３の何れか１項に記載の過弗化物の処理装置。
【請求項５】
前記熱交換手段で混合される水および／または機器類駆動用エアーは、前記矩形領域の一方の短辺側から供給されることを特徴とする請求項１乃至４の何れか１項に記載の過弗化物の処理装置。
【請求項６】
過弗化物を含むガスおよび水を加熱する第１の加熱工程と、
前記第１の加熱工程により加熱された過弗化物を含むガスおよび水をさらに加熱するとともに、予め定められた触媒により過弗化物を加水分解して酸性ガスを含む分解ガスを生成する第２の加熱工程と、
前記第１の加熱工程の前段および前記第２の加熱工程の後段で、当該第１の加熱工程に流入する前の過弗化物を含むガスに水を混合させるとともに当該第２の加熱工程から流出した後の分解ガスとの間で熱交換を行なう熱交換工程と、
前記熱交換工程から流出した後の分解ガスから酸成分を乾式除去する酸成分除去工程と、
を備え、
前記第１の加熱工程、前記第２の加熱工程、前記熱交換工程および前記酸成分除去工程は、上方から見たときに矩形領域の内部であって当該矩形領域の何れかの辺部に沿った位置で行い、
前記熱交換工程に流入する過弗化物を含むガスおよび酸成分除去工程から流出した後の排気ガスは、前記矩形領域の一方の短辺側からそれぞれ導入および排出させ、前記第２の加熱工程は当該矩形領域の他方の短辺側の位置で行なう
ことを特徴とする過弗化物の処理方法。
【発明の詳細な説明】
【技術分野】
【０００１】
本発明は、例えば、過弗化物を分解して処理するために用いられる過弗化物の処理装置等に関する。
【背景技術】
【０００２】
例えば、半導体デバイスや液晶デバイスの製造プロセスにおいて、微細パターンを形成するためエッチングやクリーニングを行うことがある。この際に過弗化物が使用される場合が多い。また、過弗化物は、一般に安定で、人体に対し無害なものが多いため、他にも例えば、エアコンの冷媒用などに使用されている。
しかしながら、これらの過弗化物の中には、大気中に放出されると、地球環境に対し大きな影響を与えるものが多い。即ち、大気中で長期間安定に存在し、地球温暖化係数が大きい性質を有するため、地球温暖化の一因となり得る。そして、上述のように過弗化物は一般に安定であり、その影響は長期間続く場合が多い。
そこで、地球環境に影響を与えないために、使用された過弗化物を分解し、地球環境に対し無害な状態にして大気中に放出する必要がある。【０００３】
特許文献１には、ハロゲンとしてフッ素のみを含有するフッ素化合物を含むガス流を、水蒸気の存在下でＡｌとＮｉ、ＡｌとＺｎ、ＡｌとＴｉからなる触媒のようにＡｌを含んでなる触媒と約２００〜８００℃で接触させて、ガス流中のフッ素をフッ化水素に転化するフッ素含有化合物の分解処理方法が開示されている。
また特許文献２には、触媒層が設けられて過弗化物を含む排ガスが供給され、過弗化物を分解する過弗化物分解装置と、過弗化物分解装置から排出された排ガスに含まれた酸性物質がＣａ塩と反応して生成される第１反応生成物を除去する酸性物除去装置とを備えていることを特徴とする過弗化物処理装置が開示されている。
【先行技術文献】
【特許文献】
【０００４】
【特許文献１】特開２００１−２２４９２６号公報
【特許文献２】特開２００８−２４６４８５号公報
【発明の概要】
【発明が解決しようとする課題】
【０００５】
しかしながら、過弗化物を含むガスを大量に処理したい場合、装置が大型化するとともに、反応物としてＨＦ（弗化水素）等が生成する場合には、ＨＦ等を除去するために多くの水が必要となる場合がある。そのためＨＦを含む排水の処理も行わなければならないという問題があった。また加熱を行い過弗化物を分解処理する場合、安全上の問題が生じる場合があった。【０００６】
本発明は、従来の技術が有する上記の問題点に鑑みてなされたものである。
即ち、本発明の目的は、過弗化物を大量に処理することができ、小型化しやすいとともに、排水の排出量が少なく、安全性に優れる過弗化物の処理装置等を提供することにある。
【課題を解決するための手段】
【０００７】
かくして本発明によれば、過弗化物を含むガスおよび水を加熱する第１の加熱手段と、第１の加熱手段により加熱された過弗化物を含むガスおよび水をさらに加熱するとともに、予め定められた触媒により過弗化物を加水分解して酸性ガスを含む分解ガスを生成する第２の加熱手段と、第１の加熱手段の前段および第２の加熱手段の後段に配され、第１の加熱手段に流入する前の過弗化物を含むガスに水を混合させるとともに第２の加熱手段から流出した後の分解ガスとの間で熱交換を行なう熱交換手段と、熱交換手段から流出した後の分解ガスから酸成分を乾式除去する酸成分除去手段と、を備え、第１の加熱手段、第２の加熱手段、熱交換手段および酸成分除去手段は、上方から見たときに矩形領域の内部であって矩形領域の何れかの辺部に沿って配され、第１の加熱手段に流入する過弗化物を含むガスおよび酸成分除去手段から流出した後の排気ガスは、矩形領域の一方の短辺側からそれぞれ導入および排出させ、第２の加熱手段は矩形領域の他方の短辺側に配されることを特徴とする過弗化物の処理装置が提供される。【０００８】
ここで、第１の加熱手段は、矩形領域の他方の短辺側に第２の加熱手段と並んで配され、熱交換手段および酸成分除去手段は、矩形領域の長辺側に沿って、排気ガスが流出する箇所に向かい順に配列することが好ましい。
また過弗化物を含むガスから固形分および／またはミストを除去する前処理手段と、酸成分除去手段により酸成分が乾式除去された後の排気ガスから固形分を除去する後処理手段と、をさらに備え、前処理手段は、熱交換手段および酸成分除去手段が配列する長辺とは異なる長辺側であって、過弗化物を含むガスが流入する箇所と第１の加熱手段との間に配され、後処理手段は、熱交換手段および酸成分除去手段が配列する長辺側であって、酸成分除去手段と排気ガスが流出する箇所との間に配されることが好ましい。【０００９】
またさらに酸成分除去手段の上方から酸成分を乾式除去するための薬剤を供給する薬剤供給手段と、酸成分除去手段の下方から薬剤を排出する薬剤排出手段とを更に備え、酸成分除去手段に導入する分解ガスは、酸成分除去手段の下方から導入するとともに、酸成分除去手段の上方から排出することが好ましい。
さらに熱交換手段で混合される水および／または機器類駆動用エアーは、矩形領域の一方の短辺側から供給されることが好ましい。【００１０】
また本発明によれば、過弗化物を含むガスおよび水を加熱する第１の加熱工程と、第１の加熱工程により加熱された過弗化物を含むガスおよび水をさらに加熱するとともに、予め定められた触媒により過弗化物を加水分解して酸性ガスを含む分解ガスを生成する第２の加熱工程と、第１の加熱工程の前段および第２の加熱工程の後段で、第１の加熱工程に流入する前の過弗化物を含むガスに水を混合させるとともに第２の加熱工程から流出した後の分解ガスとの間で熱交換を行なう熱交換工程と、熱交換工程から流出した後の分解ガスから酸成分を乾式除去する酸成分除去工程と、を備え、第１の加熱工程、第２の加熱工程、熱交換工程および酸成分除去工程は、上方から見たときに矩形領域の内部であって矩形領域の何れかの辺部に沿った位置で行い、熱交換工程に流入する過弗化物を含むガスおよび酸成分除去工程から流出した後の排気ガスは、矩形領域の一方の短辺側からそれぞれ導入および排出させ、第２の加熱工程は矩形領域の他方の短辺側の位置で行なうことを特徴とする過弗化物の処理方法が提供される。
【発明の効果】
【００１１】
第１の加熱手段、第２の加熱手段、熱交換手段および酸成分除去手段は、上方から見たときに矩形領域の内部であって矩形領域の何れかの辺部に沿って配され、第１の加熱手段に流入する過弗化物を含むガスおよび酸成分除去手段から流出した後の排気ガスは、矩形領域の一方の短辺側からそれぞれ導入および排出させ、第２の加熱手段は矩形領域の他方の短辺側に配されることで、安全性を向上させることができるとともに、矩形領域の長辺の間に熱交換器や酸成分除去装置などの他の機器を順に配列させることができ、装置を小型化しやすくなる。【００１２】
第１の加熱手段が、矩形領域の他方の短辺側に沿って第２の加熱手段と並んで配されることで、さらに安全性を向上させることができる。
また熱交換手段および酸成分除去手段が、矩形領域の長辺側に沿って、排気ガスが流出する箇所に向かい順に配列し、前処理手段が、熱交換手段および酸成分除去手段が配列する長辺とは異なる長辺側であって、過弗化物を含むガスが流入する箇所と第１の加熱手段との間に配され、後処理手段が、熱交換手段および酸成分除去手段が配列する長辺側であって、酸成分除去手段と排気ガスが流出する箇所との間に配されることで、各機器が、ガスが流通する順に従い略Ｕ字状に配列する。そのため例えば、直線状に各機器を配列する場合に比較して、上方から見たときの過弗化物の処理装置の占める長さが小さくなるとともに面積も小さくなる。【００１３】
酸成分除去手段の上方から酸成分を乾式除去するための薬剤を供給する薬剤供給手段と、酸成分除去手段の下方から薬剤を排出する薬剤排出手段とを更に備え、酸成分除去手段に導入する分解ガスは、酸成分除去手段の下方から導入するとともに、酸成分除去手段の上方から排出することで、簡便なシステムにより薬剤の交換を行うことができるとともに、薬剤の消費量を少なくすることができる。【００１４】
熱交換手段で混合される水や機器類駆動用エアーが、矩形領域の一方の短辺側から供給されることで、水等のユーティリティが第２の加熱手段から放出される熱の影響を受けることを抑制できる。【００１５】
第１の加熱工程、第２の加熱工程、熱交換工程および酸成分除去工程は、上方から見たときに矩形領域の内部であって矩形領域の何れかの辺部に沿った位置で行い、熱交換工程に流入する過弗化物を含むガスおよび酸成分除去工程から流出した後の排気ガスは、矩形領域の一方の短辺側からそれぞれ導入および排出させ、第２の加熱工程は矩形領域の他方の短辺側の位置で行なうことで、過弗化物の処理をより小さい面積内で行うことができる。
【図面の簡単な説明】
【００１６】
【図１】本実施の形態の過弗化物の処理装置が適用される半導体製造工場の全体構成について説明した図である。
【図２】本実施の形態の過弗化物の処理装置の概略構成について説明した図である。
【図３】本実施の形態の過弗化物の処理装置を構成する各機器を示した図である。
【図４】反応温度と過弗化物の分解率との関係を説明した図である。
【図５】過弗化物の処理装置の動作について説明したフローチャートである。
【図６】実際に製造された過弗化物の処理装置を上方から見た図である。
【図７】実際に製造された過弗化物の処理装置を図６のＶＩＩ方向から見た図である。
【発明を実施するための形態】
【００１７】
以下、本発明を実施する形態について詳細に説明する。尚、本発明は、以下の実施の形態に限定されるものではなく、その要旨の範囲内で種々変形して実施することが出来る。また、使用する図面は本実施の形態を説明するためのものであり、実際の大きさを表すものではない。
【００１８】
＜半導体製造工場の全体構成の説明＞
図１は、本実施の形態の過弗化物の処理装置が適用される半導体製造工場の全体構成について説明した図である。
図示するように本実施の形態の半導体製造工場は、半導体の製造を行う半導体製造設備１と、過弗化物を分解処理する過弗化物の処理装置２と、酸性ガスの捕集を行う酸スクラバ３とを備える。
半導体製造設備１は、通常はクリーンルームとなっており、図示する例では、半導体であるシリコン・ポリシリコンをエッチングするＰ−Ｓｉエッチャ１１と、絶縁膜である酸化シリコン（ＳｉＯ２）等の酸化膜をエッチングする酸化膜エッチャ１２と、配線に使用するために金属膜をエッチングするメタルエッチャ１３とを備える。
Ｐ−Ｓｉエッチャ１１、酸化膜エッチャ１２、メタルエッチャ１３は、乾式エッチング（ドライエッチング）装置であり、例えば、プロセスチャンバ内で、反応性のエッチングガスを用いてエッチングを行う反応性イオンエッチング（ＲＩＥ：Reactive Ion Etching）装置である。
【００１９】
Ｐ−Ｓｉエッチャ１１、酸化膜エッチャ１２、メタルエッチャ１３で用いるエッチングガスはそれぞれ異なるが、各装置で乾式エッチングを行った後に排気されるガスには、このエッチングガスに起因する種々の過弗化物（以下、ＰＦＣ（perfluorocompound）とも云う）やＣＨＦ３などが含まれる。この過弗化物は、ＣＦ４、Ｃ２Ｆ６、Ｃ３Ｆ８、Ｃ４Ｆ８、Ｃ５Ｆ８、ＳＦ６等が例示される。そして過弗化物を含む排気されたガス、すなわちエッチング排ガスは、塩素（Ｃｌ２）ガス等の有毒ガスが毒性ガス除害装置１４で除去された後、収集ダクト１５により半導体製造設備１外に排出される。本実施の形態では、半導体製造設備１外に排出されるエッチング排ガスは、例えば、キャリアガスとしてのＮ２（窒素）ガス９９％に、過弗化物等を１％含むガスである。本実施の形態では、エッチング排ガスに含まれる過弗化物は、１％以下であることが好ましい。また排出されるエッチング排ガスの流量は、例えば、３０００Ｌ／ｍｉｎ〜３５００Ｌ／ｍｉｎである。
【００２０】
過弗化物の処理装置２は、詳しくは後述するが、半導体製造設備１から排出されるエッチング排ガス中に含まれる過弗化物を分解することで過弗化物を除害した後、排気ガスとして排出する。そのために半導体製造設備１の各設備から排出され、ダクトを介して集められたエッチング排ガスは、三方弁４を経由して過弗化物の処理装置２に導入される。過弗化物の処理装置２は、クリーンルーム内に設置する必要がなく、通常は半導体製造設備１の外側に設置される。
【００２１】
酸スクラバ３は、酸性ガスを捕集する。そして酸性ガスの捕集をした後の無害化したガスを半導体製造工場外に排出する。酸スクラバ３は、過弗化物の処理装置２で、過弗化物を完全に除去しきれなかった場合でも、過弗化物を捕集する役割を担う。また過弗化物の処理装置２に故障等が生じた場合でも、過弗化物の処理装置２のバックアップとしての役割を担う。つまり通常の状態では、過弗化物を含むガスは、三方弁４により過弗化物の処理装置２に導入され、過弗化物の処理装置２により過弗化物が分解され、処理される。しかし過弗化物の処理装置２に故障等が生じた場合は、三方弁４を切替え、過弗化物を含むガスを直接酸スクラバ３に導入されるようにする。
なお図１には図示していないが、三方弁４の上流側において、半導体製造設備１から排出されるエッチング排ガス中に含まれる酸性ガスを捕集するアルカリスクラバを設けてもよい。
【００２２】
＜過弗化物の処理装置の構成の説明＞
以後、過弗化物の処理装置２についてさらに詳しく説明を行う。
図２は、本実施の形態の過弗化物の処理装置２の概略構成について説明した図である。
図示するように過弗化物の処理装置２は、導入された装置入口排ガス（エッチング排ガス）を前処理する前処理ユニット２１と、前処理ユニット２１で前処理された装置入口排ガスに含まれる過弗化物を分解する過弗化物分解ユニット２２と、過弗化物分解ユニット２２で過弗化物を分解した際に生成されるＨＦ（弗化水素）を含む分解ガスを吸着することで乾式除去するＨＦ吸着ユニット２３とを備える。そしてこれらの各ユニットにより装置入口排ガスを処理し無害化を行った後、排気ガスとして過弗化物の処理装置２外に排出する。
【００２３】
図３は、本実施の形態の過弗化物の処理装置２を構成する各機器を示した図である。
図２で説明したように過弗化物の処理装置２は、前処理ユニット２１と、過弗化物分解ユニット２２と、ＨＦ吸着ユニット２３とを主として備える。また図示するように過弗化物の処理装置２は、制御ユニット２４を備え、過弗化物の処理装置２に備えられた各機器およびバルブ（図示せず）等の制御を行う。
【００２４】
前処理ユニット２１は、装置入口排ガスの予熱を行う入口加熱器２１１と、微粒子の除去を行うフィルタ２１２とを備える。
入口加熱器２１１は、装置入口排ガスを予熱することにより装置入口排ガス中に含まれる微小な水滴（ミスト）を蒸発させる。入口加熱器２１１は、装置入口排ガスが通過する配管の周囲にヒータ２１１ａを備える。そして装置入口排ガスは、入口加熱器２１１を通過する際にヒータ２１１ａにより加熱され、ミストが蒸発する温度でまで予熱される。このとき予熱される装置入口排ガスの温度は例えば、６０℃とすることができる。これにより次のフィルタ２１２においてフィルタがミストにより閉塞することが抑制できる。
【００２５】
フィルタ２１２は、装置入口排ガスに含まれる固形分としての微粒子の除去を行う。半導体製造設備１では、上述した、乾式エッチングを行う際に削られた酸化シリコン等の微粒子が生じる。そしてこの微粒子が装置入口排ガスに混入するため、フィルタ２１２により除去を行う。フィルタ２１２は、装置入口排ガスを通過させるとともに微粒子を捕集することができるものであれば特に限定されることはないが、例えば、メッシュフィルタなどを用いることができる。
前処理ユニット２１は、装置入口排ガスから固形分および／またはミストを除去する前処理手段として把握することができる。
【００２６】
なお本実施の形態では、入口加熱器２１１とフィルタ２１２との間で空気を導入する。次の過弗化物分解ユニット２２において一酸化炭素の生成を抑制するために、酸素が必要となる場合があり、そのためこの段階で空気を装置入口排ガスと混合する。
また本実施の形態では、詳しくは後述するが、フィルタ２１２を通過した後の装置入口排ガスは、いったん熱交換器２３１に入る。そして熱交換器２３１における熱交換により装置入口排ガスが加熱される。さらにこのとき次の過弗化物分解ユニット２２において過弗化物を分解するための反応に必要な水が液体の状態で添加される。この水は、熱交換器２３１において装置入口排ガスとともに加熱され気体の水蒸気となる。そして装置入口排ガスと混合しつつ移送される。本実施の形態では、水として純水を使用し、添加量は、後述の反応式に見合った量であり、例えば、３５０ｍＬ／ｍｉｎである。また、この水はあらかじめ加熱して水蒸気として熱交換器２３１に添加しても良い。
【００２７】
過弗化物分解ユニット２２は、装置入口排ガスおよび水を加熱する第１の加熱手段の一例である第１加熱器２２１と、第１加熱器２２１により加熱された装置入口排ガスおよび水をさらに加熱するとともに、予め定められた触媒により過弗化物を加水分解して酸性ガスを含む分解ガスを生成する第２の加熱手段の一例である第２加熱器２２２とを備える。
【００２８】
第１加熱器２２１は、内部にヒータ２２１ａが配されており、このヒータ２２１ａにより装置入口排ガス、および熱交換器２３１で添加され水蒸気となった水を加熱する。第１加熱器２２１を通過した後の装置入口排ガスは、例えば、４５０℃〜５００℃となっている。本実施の形態では、第１加熱器２２１を装置入口排ガスの流路が水平方向となる横型の加熱器としている。
【００２９】
第２加熱器２２２は、上方から装置入口排ガスを導入し、まず内部に備えられたヒータ２２２ａにより、装置入口排ガスおよび水蒸気をさらに加熱する。これにより装置入口排ガスは、例えば、７５０℃に加熱される。
そしてさらに加熱された装置入口排ガスは、第２加熱器２２２の下方に配された触媒層２２２ｂにおいて、装置入口排ガスに混合していた水（水蒸気）と反応し、分解される。
このときの分解反応として、過弗化物として、ＣＦ４、ＣＨＦ３、Ｃ２Ｆ６およびＳＦ６の場合を例に採り、下記に反応式を示す。
【００３０】
ＣＦ４＋２Ｈ２Ｏ→ＣＯ２＋４ＨＦ    …（１）
ＣＨＦ３＋（１／２）Ｏ２＋Ｈ２Ｏ→ＣＯ２＋３ＨＦ    …（２）
Ｃ２Ｆ６＋３Ｈ２Ｏ＋（１／２）Ｏ２→２ＣＯ２＋６ＨＦ    …（３）
ＳＦ６＋３Ｈ２Ｏ→ＳＯ３＋６ＨＦ    …（４）
【００３１】
上記（１）式〜（４）式からわかるように、過弗化物は加水分解反応により、酸成分であるＨＦ（弗化水素）を含む分解ガスとなる。またこの場合ＨＦは、分解ガスに含まれる酸性ガスとして捉えることもできる。
【００３２】
図４は、反応温度と過弗化物の分解率との関係を説明した図である。
ここでエッチング排ガスに含まれる過弗化物として、ＣＦ４、ＣＨＦ３、Ｃ２Ｆ６、Ｃ３Ｆ８、Ｃ４Ｆ８、Ｃ５Ｆ８、ＳＦ６、ＮＦ３を例示している。また過弗化物ではないが、半導体製造設備１から排出されるガス中に含まれる成分としてＣＯについても併せて図示している。
図示するように何れの成分も７５０℃近辺においてほぼ１００％の分解率となるため、７５０℃の温度で反応させることで、過弗化物等がほぼ除去できることになる。
【００３３】
また触媒層２２２ｂを構成する触媒としては、本実施の形態では、Ａｌ２Ｏ３（酸化アルミニウム）にＺｎ（亜鉛）、Ｎｉ（ニッケル）、Ｔｉ（チタン）、Ｆ（弗素）、Ｓｎ（スズ）、Ｃｏ（コバルト）、Ｚｒ(ジルコニウム)、Ｃｅ（セリウム）、Ｓｉ（ケイ素）等の酸化物を含むものを使用することができる。より具体的には、例えば、Ａｌ２Ｏ３（酸化アルミニウム）が８０重量％、ＮｉＯ（酸化ニッケル）２０重量％の組成からなるものを使用することができる。
【００３４】
第２加熱器２２２で過弗化物が分解された後のＨＦを含む分解ガスは、第２加熱器２２２の下方から排出され、次のＨＦ吸着ユニット２３に送られる。なおこのとき第２加熱器２２２から排出される分解ガスの温度は、６００℃〜７００℃程度である。
【００３５】
ＨＦ吸着ユニット２３は、第１加熱器２２１の前段および第２加熱器２２２の後段に配され第１加熱器２２１に流入する前の過弗化物を含むガスに水を混合させるとともに第２加熱器２２２から流出した後の分解ガスとの間で熱交換を行なう熱交換手段の一例である熱交換器２３１と、熱交換器２３１から流出した後の分解ガスから酸成分をカルシウム塩と反応させることで乾式除去する酸成分除去手段の一例としての酸成分除去装置２３２と、酸成分除去装置２３２により酸成分が乾式除去された後の排気ガスを排出する排気ガス排出手段の一例としてのエゼクタ２３３とを備える。
【００３６】
またＨＦ吸着ユニット２３は、酸成分除去装置２３２の上方からＨＦを乾式除去するための薬剤であるカルシウム塩を供給する薬剤供給手段の一例である薬剤供給装置２３４と、酸成分除去装置２３２の下方から使用済みのカルシウム塩を排出する薬剤排出手段の一例である薬剤排出装置２３５と、酸成分除去装置２３２から排出されるガス中に含まれるＨＦの濃度を監視するＨＦ濃度センサ２３６と、ＨＦ濃度センサ２３６とエゼクタ２３３との間に配され、酸成分除去装置２３２にて生じた固形分を除去する粉末トラップ２３７とをさらに備える。
【００３７】
熱交換器２３１は、第２加熱器２２２から排出された後の高温の分解ガスと第１加熱器２２１に導入される前の前述した低温の装置入口排ガスとの間で熱交換を行う。これにより分解ガスの温度は低下するとともに、第１加熱器２２１に導入される前の装置入口排ガスの温度は上昇する。また前述の通り、熱交換器２３１に添加された水は蒸発し水蒸気となる。
熱交換器２３１を通過した後の分解ガスは、温度が３００℃〜５００℃程度まで低下し、熱交換器２３１を通過した後の装置入口排ガスは、温度が２００℃〜３００℃程度まで上昇する。
【００３８】
熱交換器２３１としては、特に限られるものではなく、２枚のプレートを交互に配置し、そのプレート間に流路を構成し、装置入口排ガスと分解ガスとの熱交換を行うプレートタイプの熱交換器や、シェル（円筒）と多数のチューブ（伝熱管）の中に、それぞれ装置入口排ガスや分解ガスを通し、相互間で熱交換を行うシェルアンドチューブタイプの熱交換器が使用できる。また二重管構造にして内管に高温の分解ガスを流し、外管に低温の装置入口排ガスを流す二重管式熱交換器であってもよい。また装置入口排ガスと分解ガスとは対向して流してもよく、並行して流してもよい。本実施の形態では、二重管式熱交換器を使用し、装置入口排ガスと分解ガスとは対向して流している。
【００３９】
酸成分除去装置２３２は、内部にカルシウム塩からなる薬剤層２３２ａが充填されており、分解ガス中に含まれるＨＦは、このカルシウム塩と吸着反応することで乾式除去される。カルシウム塩としてはＣａＣＯ３（炭酸カルシウム）、Ｃａ（ＯＨ）２（水酸化カルシウム）、ＣａＯ（酸化カルシウム）等を使用することができる。またカルシウム塩の形状としては、粉末状でもよいが、ハンドリングの容易さから円柱形状または球状等に成型されたペレットとすることが好ましい。本実施の形態では、例えば、Ｃａ（ＯＨ）２とＣａＣＯ３との混合物であってＣａＣＯ３：Ｃａ（ＯＨ）２＝５０重量％〜８０重量％：２０重量％〜５０重量％のものを使用する。この場合成型性がよく、ペレットとしたときに粉化することが抑制できる。また本実施の形態では、この混合物を、底面の直径が３ｍｍ程度、高さが８ｍｍ程度の円柱形状のペレットにして使用している。
【００４０】
このときの吸着反応として、カルシウム塩としてＣａＣＯ３やＣａ（ＯＨ）２を使用した場合を例に採り、下記に反応式を示す。
【００４１】
ＣａＣＯ３＋２ＨＦ→ＣａＦ２＋ＣＯ２＋Ｈ２Ｏ    …（５）
Ｃａ（ＯＨ）２＋２ＨＦ→ＣａＦ２＋２Ｈ２Ｏ    …（６）
【００４２】
上記（５）式〜（６）式からわかるように、ＨＦはカルシウム塩と反応し、ＣａＦ２（弗化カルシウム（蛍石））、ＣＯ２（二酸化炭素）、およびＨ２Ｏ（水）が生じる。
【００４３】
エゼクタ２３３には、圧縮空気を流入させる圧縮空気配管が接続され、この圧縮空気を高速で流すことで生じる負圧により、排気ガスを吸引し、圧縮空気とともに過弗化物の処理装置２外に排出する。これにより排気ガスは、さらに温度が低下し、排出される。酸成分除去装置２３２から排出された後の排気ガスは、例えば、２００℃程度であるが、エゼクタ２３３から排出される排気ガスは、例えば、１００℃以下となる。
【００４４】
また分解ガスは、酸成分除去装置２３２の下方から導入するとともに、酸成分除去装置２３２の上方から排出する。そして分解ガスは、酸成分除去装置２３２の下方から上方へ流動する間に上記（３）式で例示したＨＦとカルシウム塩との反応が生じ、ＨＦが乾式除去される。このときカルシウム塩は、ＣａＦ２となり、これ以上の反応は生じないため、順次交換を行う必要がある。
【００４５】
そのため本実施の形態では、カルシウム塩を酸成分除去装置２３２に供給する薬剤供給装置２３４と、使用済みのカルシウム塩を酸成分除去装置２３２から排出する薬剤排出装置２３５を設けている。
【００４６】
本実施の形態では、ＨＦ濃度センサ２３６によりＨＦの濃度を監視し、ＨＦの濃度が、例えば、１００ｐｐｍに達したときは、カルシウム塩の交換時期になったと判断する。そして薬剤排出装置２３５に設けられたロータリーバルブ（図示せず）等の開閉を行い、所定量の使用済みのカルシウム塩を排出する。また使用済みのカルシウム塩を排出した後は、薬剤供給装置２３４に設けられたロータリーバルブ（図示せず）等の開閉を行い、排出した分の新たなカルシウム塩を供給する。このようにして薬剤排出装置２３５内のカルシウム塩は、順次交換される。なおこの一連の手順は、制御ユニット２４が、ＨＦ濃度センサ２３６から送られるＨＦの濃度に関する情報を取得し、そしてＨＦの濃度が、例えば、１００ｐｐｍに達したときに、薬剤供給装置２３４や薬剤排出装置２３５に設けられたロータリーバルブの開閉の制御を行うことで自動的に行われる。またこのときカルシウム塩は、全て交換してもよいが、通常は一部のみ交換が行われる。カルシウム塩の交換量としては、例えば、４０ｋｇ／ｈである。
【００４７】
粉末トラップ２３７は、カルシウム塩の交換の際などに酸成分除去装置２３２で生じたカルシウム塩の粉末等を除去するために設けられる。粉末トラップ２３７としては、金属メッシュフィルタ等を使用することができる。
本実施の形態では、粉末トラップ２３７は、酸成分除去装置２３２により酸成分が乾式除去された後の排気ガスから固形分を除去する後処理手段として把握することができる。
【００４８】
＜過弗化物の処理装置の動作の説明＞
図５は、過弗化物の処理装置２の動作について説明したフローチャートである。
以後、図３および図５を使用して過弗化物の処理装置２の動作について説明を行う。
まず装置入口排ガスは、前処理ユニット２１の入口加熱器２１１を通過し、予熱が行われる（ステップ１０１）。これにより装置入口排ガス中に含まれるミストが蒸発する。
次に予熱された装置入口排ガスに空気を導入し、前処理ユニット２１のフィルタ２１２により微粒子が除去される（ステップ１０２）。
【００４９】
そして装置入口排ガスは、熱交換器２３１による熱交換により加熱される（ステップ１０３）。またこのとき過弗化物の分解反応に必要な水が添加される（ステップ１０４）。
熱交換器２３１を通過した装置入口排ガスは、第１加熱器２２１によりまず加熱され（ステップ１０５）、さらに第２加熱器２２２により過弗化物の分解に必要な温度にまでさらに加熱される（ステップ１０６）。そして第２加熱器２２２の触媒層２２２ｂを通過するときに過弗化物が分解し、装置入口排ガスは、ＨＦを含む分解ガスとなる（ステップ１０７）。
【００５０】
分解ガスは、再び熱交換器２３１に入り、前述の装置入口排ガスとの間で熱交換を行う（ステップ１０８）。
【００５１】
そして分解ガスは、酸成分除去装置２３２においてカルシウム塩と反応し、ＨＦが乾式除去される（ステップ１０９）。またこのとき制御ユニット２４は、ＨＦ濃度センサ２３６により取得されたＨＦ濃度が所定の値以上になったか否かを判断する（ステップ１１０）。そして所定の値以上になったとき（ステップ１１０でＹｅｓ）は、薬剤排出装置２３５と薬剤供給装置２３４を動作させ、カルシウム塩の交換を行う（ステップ１１１）。また所定の値未満であったとき（ステップ１１０でＮｏ）は、カルシウム塩の交換は行わず、次のステップ１１２に進む。
【００５２】
ＨＦが乾式除去された後の排気ガスは、粉末トラップ２３７により粉末が除去された後（ステップ１１２）、エゼクタ２３３により過弗化物の処理装置２外に排出される（ステップ１１３）。
【００５３】
以上詳述した過弗化物の処理装置２では、以下のような特徴点を有する。
（i）触媒層２２２ｂを利用して過弗化物の分解を行うため、大量のエッチング排ガスを処理することができるとともに運転コストを低減することができる。
(ii)分解ガス中に含まれるＨＦをカルシウム塩との吸着反応により乾式除去することで、従来の水にＨＦを溶解させてＨＦを除去する方法に対し、ＨＦを含む排水が生じない。また吸着反応後に生成するＣａＦ２は、無害であるとともにハンドリングが容易である。さらにＣａＦ２は、ＨＦを製造する原料となるため、有価物である。つまり地球環境に有害なエッチング排ガスから有価物であるＣａＦ２を製造することができる。
（iii）熱交換器２３１により装置入口排ガスと分解ガスとの間で熱交換を行うことで、エネルギーの利用効率が上昇する。また従来の分解ガスを水により冷却する方式に比べ、排水が生じない。そのため排水処理工程が不要となり過弗化物の処理装置２の運転コストを低減することができる。
(iv)酸成分除去装置２３２の上方に配される薬剤供給装置２３４と下方に薬剤排出装置２３５を有する薬剤層２３２ａを組み込むことで、単に弁を開くだけで重力を利用して落とし込むという簡便なシステムにより、カルシウム塩の交換を行うことができる。また本実施の形態では、分解ガスを下方から導入し、上方から排気するとともに、ＨＦ濃度センサ２３６を設け、ＨＦの濃度を監視することでカルシウム塩の交換時期の判断を行う。これにより薬剤層２３２ａの上層部は排出されず、下層部の反応済みのカルシウム塩のみが排出されるので、未反応のカルシウム塩がほとんど生じず、カルシウム塩の無駄な消費量を少なくすることができる。
【００５４】
＜実際の過弗化物の処理装置の説明＞
図６は、実際に製造された過弗化物の処理装置２を上方から見た図である。また図７は、実際に製造された過弗化物の処理装置２を図６のＶＩＩ方向から見た図である。即ち図７は、過弗化物の処理装置２を水平方向から見た図となる。
図示するように実際の過弗化物の処理装置２は、上方から見た場合でも水平方向から見た場合でも矩形領域の内部にほぼ全ての機器が配置されている。なお制御ユニット２４については、矩形領域の外部に配置されている。なお本実施の形態における矩形とは、長方形が基本形であるが、長方形に近い台形や平行四辺形や楕円形なども本実施の形態の特徴を逸脱しない範囲で矩形に含めることができる。
【００５５】
次に図６および図７における過弗化物の処理装置２の各機器の説明を行う。なお以後、制御ユニット２４が設置されている位置を上方から見たときに過弗化物の処理装置２の左下側であるとして説明を行う。
【００５６】
装置入口排ガスは、過弗化物の処理装置２の左下側から導入される。そして複数の配管を経由して図中右方向に流され、過弗化物の処理装置２の下側に設置された入口加熱器２１１を通過する。そしてこのときに入口加熱器２１１に配されたヒータ２１１ａ（図３参照）により予熱が行われる。これにより装置入口排ガスに含まれるミストが蒸発する。また入口加熱器２１１を通過した装置入口排ガスは、さらに図中右方向に流され、フィルタ２１２に導入され、装置入口排ガス中に含まれる微粒子が除去される。また図示はしていないが、入口加熱器２１１を通過した後の装置入口排ガス中に空気が導入される。
【００５７】
なお本実施の形態では、フィルタとしてフィルタ２１２のみではなく、予備フィルタ２１２ａを備えている。即ち、フィルタ２１２が閉塞する等の理由で交換が必要になった場合、フィルタ２１２に接続されている配管に設けられたバルブ等を操作することで、装置入口排ガスが流通する配管を切替え、予備フィルタ２１２ａに装置入口排ガスが流入するようにする。これによりフィルタ２１２の交換作業中に予備フィルタ２１２ａにより微粒子の除去が可能となり、過弗化物の処理装置２の運転を停止することなくフィルタ２１２の交換作業が可能となる。
【００５８】
フィルタ２１２を通過した後の装置入口排ガスは、配管Ｐ１により矢印Ａ方向に流れ、過弗化物の処理装置２の上側に設置された熱交換器２３１に入る。そして装置入口排ガスは、熱交換器２３１による熱交換により加熱される。また図示はしていないが、このとき熱交換器２３１には水が添加され、この水は水蒸気となって装置入口排ガスとともに運ばれる。
【００５９】
熱交換器２３１から排出された装置入口排ガスは、配管Ｐ２により矢印Ｂ方向に流れ、過弗化物の処理装置２の右下側に設置された第１加熱器２２１に入る。第１加熱器２２１は、横型の加熱器であり、図中左側より装置入口排ガスが流入し、図中右側より装置入口排ガスが排出される。そして第１加熱器２２１は、内部にヒータ２２１ａ（図３参照）が配され、装置入口排ガスが第１加熱器２２１内部を左側から右側に移動する際に、加熱が行われる。
【００６０】
次に第１加熱器２２１から排出された装置入口排ガスは、配管Ｐ３により矢印Ｃ方向に流れ、過弗化物の処理装置２の右上側に設置された第２加熱器２２２に入る。第２加熱器２２２は縦型の加熱器であり、上方にヒータ２２２ａ（図３参照）が配され、下方に触媒層２２２ｂ（図３参照）が配される。そして装置入口排ガスは、第２加熱器２２２の上方から流入し、ヒータ２２２ａにより過弗化物の分解温度にまで加熱されつつ、第２加熱器２２２の下方に流れる。そして触媒層２２２ｂにおいて、過弗化物は、装置入口排ガスと混合していた水（水蒸気）と反応し、分解される。そして分解後の生成物であるＨＦを含む酸性の分解ガスとなり、第２加熱器２２２の下方から排出される。
【００６１】
そして第２加熱器２２２から排出された分解ガスは、配管Ｐ４により矢印Ｄ方向に流れ、再び熱交換器２３１に入る。そして熱交換器２３１において、高温の分解ガスと低温の装置入口排ガスとの間で熱交換が行われる。
【００６２】
熱交換器２３１から排出された分解ガスは、配管Ｐ５により矢印Ｅ方向（図中左方向）に流れ、過弗化物の処理装置２の上側に設置された酸成分除去装置２３２に入る。このとき分解ガスは、酸成分除去装置２３２の下方から流入し、酸成分除去装置２３２の上方に流れる。そしてこのときにカルシウム塩からなる薬剤層２３２ａ（図３参照）において分解ガスに含まれるＨＦが吸着反応を起こし、乾式除去される。そして無害化された排気ガスとなり、酸成分除去装置２３２の上方から排出される。
【００６３】
酸成分除去装置２３２から排出された排気ガスは、配管Ｐ６により矢印Ｆ方向（図中左方向）に流れ、過弗化物の処理装置２の左上側に設置された粉末トラップ２３７に入る。そして粉末トラップ２３７により、カルシウム塩の粉末等が除去される。なお配管Ｐ６の途中には、ＨＦ濃度センサ２３６が配されており、排気ガス中に含まれるＨＦの濃度を測定する。また配管Ｐ６は、本実施の形態では、比較的長尺として、周囲に放熱フィンを備えている。これは酸成分除去装置２３２に接続され、エゼクタ２３３へ向かう配管Ｐ６は、矩形領域の他方の長辺側に沿って配され、排気ガスを冷却する放熱フィンを備えると言い換えることもできる。これにより排気ガスの温度をさらに低下させることができる。
【００６４】
そして粉末トラップ２３７から排出された排気ガスは、最後に過弗化物の処理装置２の左上側に設置されたエゼクタ２３３により吸引され、配管Ｐ７により矢印Ｇ方向（図中上方向）に流れ、装置外部に排出される。
【００６５】
以上詳述した各機器のレイアウトでは、第１加熱器２２１、第２加熱器２２２、熱交換器２３１および酸成分除去装置２３２を含む各機器は、上方から見たときに矩形領域の内部であって矩形領域の何れかの辺部に沿って配される。
【００６６】
そして熱交換器２３１に流入する装置入口排ガスおよび酸成分除去装置２３２から流出した後の排気ガスは、矩形領域の一方の短辺側からそれぞれ導入および排出させ、第２加熱器２２２は矩形領域の他方の短辺側に配される。
つまり図６に示す例では、装置入口排ガスや排気ガスは、矩形領域の左側の短辺側からそれぞれ導入および排出が行われ、第２加熱器２２２は、逆側である矩形領域の右側の短辺側に配される。
【００６７】
このように高温の第２加熱器２２２を矩形領域の短辺側に沿い奥まった位置に配することで、安全性を向上させることができる。また、第２加熱器２２２内の触媒を交換する際に、過弗化物の処理装置２の矩形領域の外側からアクセスがし易く、交換作業の利便性を良くすることも出来る。
そして装置入口排ガスや排気ガスは、第２加熱器２２２とは反対側の短辺側からそれぞれ導入および排出を行うことで、矩形領域の短辺の間に熱交換器２３１および酸成分除去装置２３２などの他の機器を順に配列することができ、過弗化物の処理装置２を小型化しやすくなる。
【００６８】
他の機器の配列として本実施の形態では、第１加熱器２２１は、矩形領域の他方の短辺側に第２加熱器２２２と並んで配され、熱交換器２３１および酸成分除去装置２３２は、矩形領域の長辺側に沿って、排気ガスが流出する箇所に向かい順に配列する。
つまり図６に示す例では、第１加熱器２２１は、矩形領域の右側の短辺側に沿って第２加熱器２２２と並んで配される。そして熱交換器２３１、酸成分除去装置２３２は、矩形領域の上方の長辺側に沿って、排気ガスが流出する箇所に向かう右側から左側に向け順に配列する。
【００６９】
また入口加熱器２１１とフィルタ２１２は、熱交換器２３１および酸成分除去装置２３２が配列する長辺とは異なる長辺側であって、装置入口排ガスが流入する箇所と第１加熱器２２１との間に配され、粉末トラップ２３７とエゼクタ２３３は、熱交換器２３１および酸成分除去装置２３２が配列する長辺側であって、酸成分除去装置２３２と排気ガスが流出する箇所との間に配される。
つまり図６に示す例では、入口加熱器２１１とフィルタ２１２は、熱交換器２３１および酸成分除去装置２３２が配列する長辺とは異なる下側の長辺側であって、装置入口排ガスが流入する箇所と第１加熱器２２１との間に配される。また粉末トラップ２３７とエゼクタ２３３は、熱交換器２３１および酸成分除去装置２３２が配列する上側の長辺側であって、酸成分除去装置２３２と排気ガスが流出する箇所との間に配される。
【００７０】
なお熱交換器２３１は、図６で示す例では、矩形領域の上側の長辺側であって、第２加熱器２２２と酸成分除去装置２３２との間に配されている。ただしこれに限られるものではなく、入口加熱器２１１とフィルタ２１２、第１加熱器２２１が配列する方の下側の長辺側に沿って配列していてもよい。
【００７１】
このように高温の第１加熱器２２１を矩形領域の他方の短辺側に沿って第２加熱器２２２と並んで配することで、さらに安全性を向上させることができる。
またこのように各機器を配置することで、各機器は、ガスが流通する順に従い矢印Ｈ方向に示すように略Ｕ字状に配列する。そのため例えば、直線状に各機器を配列する場合に比較して、上方から見たときの過弗化物の処理装置２の占める長さが小さくなるとともに面積も小さくなる。そのため装置全体がコンパクト化し、例えばコンテナ等に収まる大きさとすることができる。なお本実施の形態の過弗化物の処理装置２は、２０フィートコンテナに収まる輸送にも適した大きさとすることができる。
【００７２】
またこのように各機器を配列することで、２つの長辺に挟まれた中央部に通路を形成することが可能となる。図６では、作業員が、この通路により移動できる箇所を両矢印Ｔで示している。なお配管Ｐ１、Ｐ２、Ｐ３は、上方に配されており、作業員は、この配管Ｐ１、Ｐ２、Ｐ３を障害とせずに通路を移動することができる。このようにすることで各機器の操作やメンテナンスなどの際に、矩形領域の外側からのみならず、通路を利用することにより内側からもアクセスが可能となり、利便性が向上する。
【００７３】
さらに以上詳述した各機器のレイアウトでは、熱交換器２３１で混合され、装置入口排ガスを分解するのに必要な水は、矩形領域の一方の短辺側から供給される。また機器類駆動用エアー（圧縮空気）についても矩形領域の一方の短辺側から供給される。
つまり図６に示す例では、水、圧縮空気は、矩形領域の左側の短辺側から供給される。
このように装置入口排ガスの導入および排気ガスの排出、そして水の供給、さらにエゼクタ２３３で使用される圧縮空気等のユーティリティを矩形領域の一方の短辺側に集中させることで、過弗化物の処理装置２をさらに小型化しやすくなる。そして高温な第１加熱器２２１や第２加熱器２２２は、矩形領域の他方の短辺側に配置されるため、ユーティリティ及びその計器類や調整作業スペースが第１加熱器２２１や第２加熱器２２２から放出される熱の影響を受けることを抑制できる。
【００７４】
なお以上説明した過弗化物の処理装置２による過弗化物の処理方法は、装置入口排ガスおよび水を加熱する第１の加熱工程と、第１の加熱工程により加熱された装置入口排ガスおよび水をさらに加熱するとともに、予め定められた触媒により過弗化物を加水分解して酸性ガスを含む分解ガスを生成する第２の加熱工程と、第１の加熱工程の前段および第２の加熱工程の後段で、第１の加熱工程に流入する前の装置入口排ガスに水を混合させるとともに第２の加熱工程から流出した後の分解ガスとの間で熱交換を行なう熱交換工程と、熱交換工程から流出した後の分解ガスから酸成分を乾式除去する酸成分除去工程と、を備え、第１の加熱工程、第２の加熱工程、熱交換工程および酸成分除去工程は、上方から見たときに矩形領域の内部であって矩形領域の何れかの辺部に沿った位置で行い、熱交換工程に流入する装置入口排ガスおよび酸成分除去工程から流出した後の排気ガスは、矩形領域の一方の短辺側からそれぞれ導入および排出させ、第２の加熱工程は矩形領域の他方の短辺側の位置で行なうことを特徴とする過弗化物の処理方法として捉えることもできる。
【００７５】
また上述した例では、半導体製造工場において排出されるエッチング排ガス中に含まれる過弗化物を処理する場合について説明したが、これに限られるものではないことはもちろんである。例えば、液晶製造工場等から排出されるエッチング排ガスやクリーニング排ガス中に含まれる過弗化物を処理する場合であってもよい。
【符号の説明】
【００７６】
１…半導体製造設備、２…過弗化物の処理装置、３…酸スクラバ、２１…前処理ユニット、２２…過弗化物分解ユニット、２３…ＨＦ吸着ユニット、２４…制御ユニット、２１１…入口加熱器、２１２…フィルタ、２２１…第１加熱器、２２２…第２加熱器、２３１…熱交換器、２３２…酸成分除去装置、２３３…エゼクタ
【図１】
2014129050.tif 000003
【図２】
2014129050.tif 000004
【図３】
2014129050.tif 000005
【図４】
2014129050.tif 000006
【図５】
2014129050.tif 000007
【図６】
2014129050.tif 000008
【図７】
2014129050.tif 000009
【国際調査報告】
2014129050.tif 000010
2014129050.tif 000011
2014129050.tif 000012
2014129050.tif 000013